(57)【特許請求の範囲】
【請求項１】
下階コンクリートの打設後に上階コンクリートを、階層目地を介して打ち継いで打設する方法において、
前記下階コンクリートの外側に、前記階層目地よりも下側にくぼむ凹部を形成し、
前記凹部から前記上階コンクリートに至り前記階層目地を遮断する遮断片を有する水切り治具を前記凹部に装着し、
前記水切り治具に可撓性装填材を装着し、
前記上階コンクリートは、前記遮断片により遮断される前記階層目地、前記遮断片及び前記可撓性装填材の上面の上に打設されることを特徴とするコンクリート建築物の構築法。
【請求項２】
前記水切り治具は、前記下階コンクリートから外側へ延出し下向きに傾斜する傾斜片を備える請求項１記載のコンクリート建築物の構築法。
【請求項３】
前記可撓性装填材の外側には、シーリングが施される請求項１または２記載のコンクリート建築物の構築法。
【請求項４】
前記可撓性装填材の上面には、前記上階コンクリート側に突出する突起が形成されている請求項１から３のいずれかに記載のコンクリート建築物の構築法。
【請求項５】
下階コンクリートの打設後に上階コンクリートを、階層目地を介して打ち継いで打設する構造において、
前記下階コンクリートの外側に、前記階層目地よりも下側にくぼむ凹部を形成し、
前記凹部から前記上階コンクリートに至り前記階層目地を遮断する遮断片を有する水切り治具を前記凹部に装着し、
前記水切り治具に可撓性装填材を装着し、
前記上階コンクリートは、前記遮断片により遮断される前記階層目地、前記遮断片及び前記可撓性装填材の上面の上に打設されることを特徴とするコンクリート建築物の構造。
【発明の詳細な説明】
【技術分野】
【０００１】
本発明は、階層目地を介する水の侵入をより強固に防止できるコンクリート建築物の構築法及びその関連技術に関するものである。
【背景技術】
【０００２】
マンションのような集合住宅あるいはビルディングのような商用建築物として、コンクリート建築物は、多用されている。例えば、１階部分（下階コンクリート）の外壁を構築し、その構築が完了した後で、その上に継ぎ足して２階部分（上階コンクリート）を構築する工法が、日常的に実施されている（例えば、特許文献１参照）。
【０００３】
このような場合、下階コンクリートの上面が既に硬化した後に、上階コンクリートが打設されるから、上階コンクリートの下面と下階コンクリートの上面とに挟まれる階層目地が形成されることになる。階層目地以外では、コンクリートは連続しているが、階層目地ではそうではない。建築物の外壁は、風雨にさらされるものであるから、階層目地は、水の侵入路となる可能性が高い。つまり、階層目地は、建築物の防水性を確保するために、重要なポイントとなる。
【０００４】
従来、階層目地から水が侵入しないようにする（つまり防水性を確保する）ため、階層目地の外側にシーリングを施し、階層目地を封止することが知られている。
【０００５】
しかしながら、シーリングの耐用年数は、おおむね６年から１０年程度であり、耐用年数に至るたびに、古いシーリングを除去し、シーリングの再施工を実施しなければならない。この施工は、起立する壁に対する高所作業となるから、足場の設置は必須となり、大がかりな工事とならざるを得ないし、費用がかさむことはさけられない。
【０００６】
このため、階層目地の耐久性、防水性を向上できる技術が求められている。
【特許文献１】特開平１１−２５６７０７号公報
【発明の開示】
【発明が解決しようとする課題】
【０００７】
そこで本発明は、階層目地を介する水の侵入をより強固に長期にわたって防止できるコンクリート建築物の構築法を提供することを目的とする。
【課題を解決するための手段】
【０００８】
第１の発明に係る方法は、下階コンクリートの打設後に上階コンクリートを、階層目地を介して打ち継いで打設する方法において、下階コンクリートの外側に、階層目地よりも下側にくぼむ凹部を形成し、凹部から上階コンクリートに至り階層目地を遮断する遮断片を有する水切り治具を凹部に装着し、水切り治具に可撓性装填材を装着し、上階コンクリートは、遮断片により遮断される階層目地、遮断片及び可撓性装填材の上面の上に打設される。
【０００９】
この構成により、シーリングの耐用年数程度の期間が経過したとしても、可撓性装填材により、防水性を確保できる。また、仮に、可撓性装填材の防水性が弱まったとしても、水切り治具の遮断片が、下階コンクリートから発して階層目地を遮断し、さらに上階コンクリートへ噛み込んでいるから、水切り治具が止水板と同等の機能を発揮し、防水性を維持できる。即ち、シーリングに依存する従来技術に比べ、防水性を確保できる期間を大幅に延長できる。その結果、耐久性の維持のための工事を、長期にわたって先送りでき、無用な工事や経費を大幅に削減できる。
【００１０】
第２の発明に係る方法では、第１の発明に加え、水切り治具は、下階コンクリートから外側へ延出し下向きに傾斜する傾斜片を備える。
【００１１】
この構成における傾斜片は、下向きの勾配を有するから、階層目地付近に雨水などの水滴が付着したとしても、それが階層目地付近に滞留することはなく、水滴は、勾配に案内されて直ちに建築物から離れる方向へ排除される。ここで、このような水滴に含まれるほこりやチリ等の含有物は、建築物の外壁を汚す原因となっているが、そのような含有物を有効に建築物から排除できるから、建築物の美観を長期にわたって保持できるという優れた効果が得られる。
【００１２】
第３の発明に係る方法では、第１の発明に加え、可撓性装填材の外側には、シーリングが施される。
【００１３】
この構成により、階層目地は、シーリング、可撓性装填材及び水切り治具という三層の防水構造により、強固に保護され、高度の防水性を長期にわたって保持することができ、改修に要する工事及びコストを顕著に削減できる。
【００１４】
第４の発明に係る方法では、第１の発明に加え、可撓性装填材の上面には、上階コンクリート側に突出する突起が形成されている。
【００１５】
この構成により、上階コンクリートが打設され硬化する際において、上階コンクリートに突起が噛み込み、上階コンクリートと可撓性装填材の上面とが強固に噛み合うから、階層目地付近の防水性を一層向上することができる。
【発明の効果】
【００１６】
本発明によれば、シーリングに依存する従来技術に比べ、より長期に防水性を確保でき、改装工事を大幅に先送りできるから、無用な工事や経費を大幅に削減でき、結果として、建築物自体の寿命を延長できる。
【発明を実施するための最良の形態】
【００１７】
次に図面を参照しながら、本発明の実施の形態を説明する。図１は、本発明の一実施の形態における下層コンクリートの打設工程を示す断面図である。
【００１８】
まず、図１に示すように、型枠２を固定する。型枠２は、室外側（外側）に位置する。
【００１９】
型枠２の上方であって、型枠２に対面する部分には、スペーサ３が固定されている。スペーサ３は、後述するように、後に除去されるコンクリートに対する邪魔物であり、下階コンクリート４の外側に、階層目地６よりも下側にくぼむ凹部５の形状を決定する。凹部５、即ちスペーサ３は、垂直な起立面５ａと、それに交わる図１において右下がりの傾斜面５ｂとを有する台形の断面形状を有する。スペーサ３は、コンクリートの打設及びその後の硬化を妨げなければ任意の材料で形成でき、図示しているように、型枠２と別体に構成してもよいし、型枠２と一体的に構成してもよい。
【００２０】
そして、型枠２内にコンクリートを打設し、硬化させる。硬化が完了したら、下階コンクリート４の上面４ａが階層目地６の位置にあらわれることになる。
【００２１】
次に、図２（本発明の一実施の形態における水切り治具の仮設置工程を示す断面図）に示すように、型枠２を脱型し、それと同時に、あるいはさらに、スペーサ３を下階コンクリート４から取り外すと、凹部５が形成された下階コンクリート４が露呈する。
【００２２】
また、図２の紙面垂直方向に同じ断面形状を持ち、長尺の水切り治具７を用意する。水切り治具７は、加工性及び防水性を考慮すると、アルミニウムあるいはステンレス鋼等の金属で構成する（つまり、水切り治具７を金物とする）ことが望ましい。
【００２３】
水切り治具７は、凹部５に沿った断面形状とする。即ち、水切り治具７は、起立面５ａに当接するとともに、凹部５よりもさらに上方に伸びて後に上階コンクリート１６に至り、階層目地６を遮断する遮断片８と、遮断片８の下端部から屈曲し、傾斜面５ｂに当接するとともに、下階コンクリート４よりもさらに外側へ延出する傾斜片９とを有する。傾斜片９の先端部は、下向きに折曲する返り部９ａとなっており、傾斜片９の上面には、後に可撓性装填材１２と係合させるために突片９ｂを突設させてある。返り部９ａ、突片９ｂは、必須ではなく省略可能であるが、形成することが望ましい。なお、長尺の水切り治具７、７同士の継ぎ目は、例えば、突き合わせ溶接したり、部分的に重ね合わせる等、適宜処理して差し支えない。
【００２４】
次に、図２のように水切り治具７の仮設置が完了したら、図３（本発明の一実施の形態における水切り治具の固定工程を示す断面図）に示すように、水切り治具７を下階コンクリート４に固定する。本例では、コンクリートビス１０を傾斜片９に打ち込み、その先端を下階コンクリート４へ至らしめ、コンクリートビス１０の頭部にシーリング１１を施したが、これは一例にすぎず、例えば、遮断片８側を下階コンクリート４に固定するなど、種々変更できる。要するに、水切り治具７が、下階コンクリート４に十分な強度で固定されるようにすれば十分である。
【００２５】
次に、図４（本発明の一実施の形態における可撓性装填材の装着工程を示す断面図）に示すような断面形状をなす、可撓性装填材１２を水切り治具７に固定する。これにより、凹部５が水切り治具７及び可撓性装填材１２により封鎖されるだけでなく、可撓性装填材１２は、下階コンクリート４よりも上側（つまり、階層目地６を越えて上階コンクリート１６内）へ至る。従って、可撓性装填材１２は、水切り治具７の台形形状（遮断片８及び傾斜片９により形成される）にならう形状をなす。
【００２６】
ここで、可撓性装填材１２を水切り治具７に固定した際の上下方向の位置関係は、つぎのようになる。まず、上述したように、遮断片８の下端部は、階層目地６よりも低く、下階コンクリート４内にある。そして、遮断片８は、階層目地６を遮断し、さらに上方へ伸び、遮断片８の上端部は、可撓性装填材１２の上面１２ａよりも高い位置にあり（Ｈ１＞Ｈ２）、上面１２ａは、階層目地６よりも高い位置にある。
【００２７】
可撓性装填材１２は、中実のゴムにより構成することが望ましい。また本例では、可撓性装填材１２の上面１２ａから上向きに突出する突起１２ｂが形成されている。こうすると、後に上階コンクリート１６が打設された後に、上階コンクリート１６と可撓性装填材１２とがより強固に噛み合い、防水性を一層向上でき好適である。また、可撓性装填材１２は、ピン状のゴム止め１３が傾斜片９を介して下階コンクリート４に打ち込まれることにより、固定されるが、この固定法も任意に変更して差し支えない。
【００２８】
次に、上階コンクリート１６の打設を行う。図５は、本発明の一実施の形態における上階コンクリートの打設工程を示す断面図である。即ち、型枠１４、１５を組み、型枠１４、１５内へ上階コンクリート１６を打設し硬化させる。その結果、遮断片８よりも室内側では、上階コンクリート１６の下面１６ａは、下階コンクリート４の上面４ａと対面し、上面４ａと下面１６ａとの間に、階層目地６が形成される。言うまでもないが、可撓性装填材１２は下階コンクリート４の打設に先立って水切り治具７に装着されていてもよい。
【００２９】
しかしながら、防水の観点から重要な、室外側において、階層目地６は、遮断片８により遮断され、遮断片８は、下階コンクリート４から上階コンクリート１６の内部へ食い込む格好になる。遮断片８よりも室外側には、可撓性装填材１２が存在するが、可撓性装填材１２は、上階コンクリート１６が打設され硬化する際に、上階コンクリート１６から下向きの荷重を受け圧縮され、縮む（波線参照）ことになり、上階コンクリート１６と可撓性装填材１２とは、がっちり噛み合う結果となる。
【００３０】
以上の関係により、上階コンクリート１６の下面１６ａは、遮断片８よりも室内側では、上面４ａに対面し、階層目地６が形成されるが、階層目地６は、遮断片８で遮断され、遮断片８の位置では、上階コンクリート１６は、下階コンクリート４に接することはなく、遮断片８の上端部と噛み合う。さらに、遮断片８よりも室外側では、上階コンクリート１６の下面１６ａは、圧縮された可撓性装填材１２の上面１２ａと圧接することになる。つまり、遮断片８よりも室外側には、コンクリートとコンクリートとから挟まれる目地は存在しない。したがって、これだけでも、雨水などの水が室外から目地を伝って室内側へ至ることは、きわめて困難となる。
【００３１】
本例では、さらに、図６（本発明の一実施の形態における外壁の仕上工程を示す断面図）に示すように、可撓性装填材１２の室外側へシーリング１７を施し、防水性を高めている。これによると、室外側から順に、シーリング１７、可撓性装填材１２及び水切り治具７からなる三重構造が形成されることとなり、防水性を従来技術からみて顕著に向上させることができる。
【００３２】
なお、図６に示すように、本例では、上階コンクリート１６及び下階コンクリート４の室外側には、タイル１８、１９をそれぞれ貼り合わせているが、これは必須ではない。例えば、塗装するなど他の処置をしても差し支えない。
【００３３】
また、図６に示すように、傾斜片９は、シーリング１７よりも室外側へ延出し、下向きに傾斜しているから、シーリング１７の外側付近に水滴２０が付着しても、水滴２０は、この勾配により、傾斜片９をつたって落下し、建築物から離れる向きに移動するから、水切りが良好となる。さらに、本例では、傾斜片９の先端に返り部９ａを形成しているため、水切りが一層良好になる。逆に言えば、水滴２０が階層目地６へ至ることはきわめて困難となって、防水性が高く保持される。
【００３４】
加えて、水滴２０は、ほこりやチリ等を含んでおり、従来のコンクリート建築物では、目地付近から下へ垂れ下がるように、水垢、くすみ等の汚れが付着することが多かった。しかしながら、本形態によれば、傾斜片９が外壁から外向き下方へスカートのように延出するため、水滴２０は、タイル１９に付着することが困難となり、このような汚れが付着する確率が大幅に低下し、コンクリート建築物の美観を守ることができる。
【００３５】
上記実施の形態では、外壁をタイル貼りして仕上げる例を述べたが、塗装仕上げとするには、次のように若干の修正を加えることが望ましい。即ち、図７に示すように、上階コンクリート４を打設する前に、可撓性装填材１２の外側にバックアップ板２５を当てておき、シーリング用のスペースを確保する。上階コンクリート１６の打設及び硬化が完了したら、型枠１４、１５を脱型する。そして、図８に示すように、バックアップ板２５により確保されたスペースにシーリング２６を充填し、シーリング２６の外面が、上階コンクリート１６及び下階コンクリート４の外面にそれぞれほぼ面一となるようにする。勿論、このほか、上階コンクリート１６及び下階コンクリート４の外面を塗装して仕上げる。
【図面の簡単な説明】
【００３６】
【図１】本発明の一実施の形態における下層コンクリートの打設工程を示す断面図
【図２】本発明の一実施の形態における水切り治具の仮設置工程を示す断面図
【図３】本発明の一実施の形態における水切り治具の固定工程を示す断面図で
【図４】本発明の一実施の形態における可撓性装填材の装着工程を示す断面図
【図５】本発明の一実施の形態における上階コンクリートの打設工程を示す断面図
【図６】本発明の一実施の形態における外壁の仕上工程を示す断面図
【図７】本発明の他の実施の形態における上階コンクリートの打設工程を示す断面図
【図８】本発明の他の実施の形態における外壁の仕上工程を示す断面図
【符号の説明】
【００３７】
１、２、１４、１５  型枠
３  スペーサ
４  下階コンクリート
５  凹部
６  階層目地
７  水切り治具
８  遮断片
９  傾斜片
１０  コンクリートビス
１１、１７  シーリング
１２  可撓性装填材
１３  ゴム止め
１６  上階コンクリート
１８、１９  タイル
２０  水滴
【図１】
0004959459.tif 000002
【図２】
0004959459.tif 000003
【図３】
0004959459.tif 000004
【図４】
0004959459.tif 000005
【図５】
0004959459.tif 000006
【図６】
0004959459.tif 000007
【図７】
0004959459.tif 000008
【図８】
0004959459.tif 000009